(57)【要約】【課題】特別な部材、部品を必要とせず、しかも床組の組み方を変えるだけの簡単な構造で、上階の床に発生する振動が下階に伝わり、床衝撃音が発生することや、同一階の床で発生する振動が隣接する床に伝わることを有効に緩和することができる床構造を提供することを課題とする。【解決手段】互いに略平行に配置された１対の壁、梁等の構造体５に、対になり互いが略平行に架け渡された支持梁１と、その支持梁１間に、複数本が互いに略平行に架け渡された床根太２を有して構成されている。【選択図】図１
2008190218.tif 000002
【特許請求の範囲】
【請求項１】
互いに略平行に配置された１対の構造体に、対になり互いが略平行に架け渡された支持梁と、
その支持梁間に、複数本が互いに略平行に架け渡された床根太とを有することを特徴とする
床構造。
【請求項２】
互いに略平行に配置された１対の構造体に、対になり互いが略平行に架け渡された第１の支持梁と、
その第１の支持梁間に、対になり互いが略平行に架け渡された第２の支持梁と、
その第２の支持梁間に、複数本が互いに略平行に架け渡された床根太とを有することを特徴とする
床構造。
【請求項３】
互いに略平行に配置された１対の構造体に、対になり互いが略平行に架け渡された第１の支持梁と、
その第１の支持梁間に、対になり互いが略平行に架け渡された第２の支持梁と、
その第２の支持梁間に、対になり互いが略平行に架け渡された第３の支持梁と、
その第３の支持梁間に、複数本が互いに略平行に架け渡された床根太とを有することを特徴とする
床構造。
【発明の詳細な説明】
【技術分野】
【０００１】
本発明は、戸建住宅や集合住宅等の建築物における床の構造に関するもので、上階で発生する振動が下階に伝わり、床衝撃音が発生することや、同一階の床で発生する振動が隣接する床に伝わることを有効に緩和することのできる床構造に関するものである。
【背景技術】
【０００２】
従来の在来木造住宅、木造２×４住宅、スチールハウス等の一般的な床の架構体は、図１１に示すように、一対の略平行な壁や梁等の構造体５，５間に、複数本の床根太２，２…を架け渡すことにより構成されていた。これら床根太２の端部は、直接構造体５である下階の壁の上に載せられて接合されたり、下階の壁上に配置された構造体５である梁に接合されたりして、取り付けられていた。
【０００３】
これら複数本の床根太２は、パーティクルボードや軽量コンクリ−ト等の面材４を支持するために、密に配置することが必要であって、数多くの本数の床根太２の端部が構造体５に連結されていた。
【０００４】
従来の一般的な床は、以上に説明したような構成であったため、上階の床に発生した振動が、数多くの本数の床根太２を介して直接下階の壁に伝わり、その結果、壁面からの放射音が大きくなってしまい、天井等にいくら重量床衝撃音対策を施しても効果が上がらなかった。即ち、子どもが飛び跳ねたり、椅子を動かしたりした時のドスン、ガタンといった重量床衝撃音が殆ど緩和されることなく壁を介して直接下階に伝わってしまうことが問題となっていた。
【０００５】
このような問題は、戸建住宅の場合は許容することもできるが、上下階に別の居住者が入居する集合住宅等の界床にあっては、しばしば大きな問題となり近隣トラブルの原因等になっていた。また、同一階の床で発生する振動が隣接する床に伝わることも、特に集合住宅等にあっては問題となることがあった。
【０００６】
この問題を解消するため重量床衝撃音対策を施した様々な防振床が開発されている。
【０００７】
特許文献１や特許文献２には、筒状になった金属製の床小梁や床根太といった横架材の中空部等に、還元ペレット等の粒状体や砂で形成された振動吸収材を充填し、床衝撃音が下階に伝わることを軽減しようとする技術が開示されている。しかしながら、振動吸収材を充填する中空部等のスペースを横架材に形成しなければならず、床組を構成する横架材自体が特殊なものになってしまうばかりか、還元ペレット等の粒状体や砂といった振動吸収材が必要であって、施工が手間であり、また、コスト上も不利になってしまうという問題があった。
【０００８】
また、特許文献３には、床組内の空間に砂状をなす流動体を封入した袋体を入れた技術が開示されている。しかしながら、このような構成の床にあっては、床組の上下に板材を固着する必要があり、余分な部材を必要とすると共に、床の構造自体が複雑な構造になってしまい、且つ施工も手間であるという問題、更には、砂状をなす流動体を封入した袋体を準備する必要があり、その面でも部材が増え、且つ高コストになってしまうという問題があった。
【０００９】
また、特許文献４，５には、その何れにも床パネルを液封マウントで支持して床梁に取り付けた技術が開示されている。この技術では確かに、壁面からの放射音の発生の防止を期待することができるが、液封マウントという特殊な部材が必要となり、高コストであり、且つ部材点数が増え構造が複雑になり、施工も手間であるという問題があった。
【００１０】
このように、従来の防振床は、その何れもが複雑な構造であり、しかも特別な部材、部品等を必要としており、施工が複雑であるという問題、コスト上昇の問題等、多々問題点があった。
【００１１】
【特許文献１】特開２００２−１１５３６３号公報
【特許文献２】特開２０００−１２０２０５号公報
【特許文献３】特開平８−１３６７４号公報
【特許文献４】特開平１１−１３１９２号公報
【特許文献５】特開平１１−１３１９３号公報
【発明の開示】
【発明が解決しようとする課題】
【００１２】
本発明は上記従来の種々の問題点を解決せんとして発明したものであって、特別な部材、部品を必要とせず、しかも床組の組み方を変えるだけの簡単な構造で、上階の床に発生する振動が下階に伝わり、床衝撃音が発生することや、同一階の床で発生する振動が隣接する床に伝わることを有効に緩和することができる床構造を提供することを課題とするものである。
【課題を解決するための手段】
【００１３】
請求項１記載の発明は、互いに略平行に配置された１対の構造体に対になり互いが略平行に架け渡された支持梁と、その支持梁間に複数本が互いに略平行に架け渡された床根太とを有することを特徴とする床構造である。
【００１４】
請求項２記載の発明は、互いに略平行に配置された１対の構造体に対になり互いが略平行に架け渡された第１の支持梁と、その第１の支持梁間に対になり互いが略平行に架け渡された第２の支持梁と、その第２の支持梁間に複数本が互いに略平行に架け渡された床根太とを有することを特徴とする床構造である。
【００１５】
請求項３記載の発明は、互いに略平行に配置された１対の構造体に対になり互いが略平行に架け渡された第１の支持梁と、その第１の支持梁間に対になり互いが略平行に架け渡された第２の支持梁と、その第２の支持梁間に対になり互いが略平行に架け渡された第３の支持梁と、その第３の支持梁間に複数本が互いに略平行に架け渡された床根太とを有することを特徴とする床構造である。
【発明の効果】
【００１６】
本発明の床構造によると、特別な部材、部品を必要とせず、しかも床組の組み方を変えるだけの簡単な構造で、上階の床に発生する振動が下階に伝わり、床衝撃音が発生することや、同一階の床で発生する振動が隣接する床に伝わることを有効に緩和することができる。
【発明を実施するための最良の形態】
【００１７】
以下、本発明を添付図面に示す実施形態に基づいて更に詳細に説明する。
【００１８】
図１は本発明における床構造の一実施形態を示す。床組３は、互いに略平行に設けられた外壁や間仕切壁、界壁、梁等といった一対の構造体５の間に設けられる。この実施形態では、床組３は、一対の略平行な構造体５，５間に、且つその構造体５と直交して略平行に架け渡された一対の支持梁１，１と、その支持梁１，１間にそれら支持梁１と直交して互いが略平行に架け渡された複数本の床根太２，２…とより構成されている。なお、支持梁１は、その両端部が支持される構造体５とは直交方向の別の構造体５と略平行し、且つ間隔を開けて寄り添うようにして配置される。
【００１９】
また、床組３は、図２に示すように、支持梁１、床根太２のほか、端根太や側根太等の枠材７を矩形に組んだ外周枠８とで構成されていても良い。この場合、支持梁１は、外周枠８の向かい合った枠材７，７間に架け渡されることになるが、枠材７は構造体５の上にドリルねじや釘で接合されるので、支持梁１は、枠材７を介して一対の略平行な構造体５，５間に架け渡されることとなる。以下の説明は、この外周枠８が設けられた図２に示す実施形態をもとに説明する。
【００２０】
外周枠８を構成する端根太や側根太等の枠材７は板厚が０．８〜１．６ｍｍの薄肉の溝形鋼で形成されている。矩形に組まれた外周枠８の枠材７，７相互の接合は、一本の枠材７の端部の上下フランジ間に、直交方向の枠材７の端部を嵌合し、ドリルねじや釘による固定や溶接でなされている。
【００２１】
支持梁１も板厚が０．８〜１．６ｍｍの薄肉の溝形鋼で形成されており、外周枠８の長辺側の枠材７，７間に、それら枠材７と直交して略平行に対になって架け渡されている。この一対の支持梁１，１は、フランジがお互いの方へ突設するよう向かい合って設けられている。また、この一対の支持梁１，１は、夫々隣接する短辺側の枠材７，７側に間隔を開けて寄り添うようにして、その短辺側の枠材７と略平行に架け渡されている。この支持梁１と枠材７は、支持梁１の端部を枠材７の上下フランジ間に嵌合し、ドリルねじや釘による固定や溶接することによって接合されている。また、図示はしていないが接合部に補強金物があっても良い。なお、この支持梁１は、長辺側の枠材７，７間ではなく、短辺側の枠材７，７間に架け渡されていても良い。
【００２２】
床根太２は板厚が０．８〜１．６ｍｍの薄肉のリップ溝形鋼で形成されており、向かい合った支持梁１，１の間に、それら支持梁１と直交して複数本が略等間隔で且つ互いに略平行になって架け渡されている。この床根太２と支持梁１は、床根太２の端部を支持梁１の上下フランジ間に嵌合し、ドリルねじや釘による固定や溶接することによって接合されている。また、図示はしていないが接合部に補強金物があっても良い。
【００２３】
なお、上述した枠材７、支持梁１、並びに床根太２のウエブの高さ寸法は略同一寸法であるが、床の強度上問題がない限り、枠材７より支持梁１のウエブの高さ寸法を、支持梁１よりも床根太２のウエブの高さ寸法を、夫々小さくすることは可能である。この場合、支持梁１の端部を枠材７の上下フランジ間に、床根太２の端部を支持梁１の上下フランジ間に、夫々嵌合することはできないが、支持梁１の上フランジ上面を枠材７の上フランジ下面に、床根太２の上フランジ上面を支持梁１の上フランジ下面に、夫々当接し、枠材７と支持梁１、並びに床根太２の上面を略面一にして接合することが望ましい。また、枠材７より支持梁１のウエブの高さ寸法を、支持梁１よりも床根太２のウエブの高さ寸法を、夫々大きくすることも可能である。この場合は、例えば床根太２の端部を支持梁１に嵌合できる高さ寸法に加工すること等で対応する。
【００２４】
上記の説明では、枠材７、支持梁１、床根太２は、その板厚が０．８〜１．６ｍｍの薄肉の溝形鋼等であると説明したが、その板厚は、０．８ｍｍ未満や１．６ｍｍ超でも良く、また、これら枠材７、支持梁１、床根太２の全て或いはどれかの部材が、他の断面形状の形鋼や、木製の角材等の別の素材で形成されていても良い。
【００２５】
このようにして形成された床組３は、支持梁１の両端部が夫々一対の略平行な構造体５，５上に載せられるようにして、その一対の構造体５，５間に架け渡される。この支持梁１の両端部を支持する構造体５は、耐力壁である外壁や間仕切壁、界壁といった壁構造体であるか、若しくはその下方に位置する壁が連結される梁や胴差しといった建物の構造耐力上必要な横架材である。なお、構造体が横架材である場合、その下方の壁は構造耐力を有する壁構造体である必要性はなく、例えばカーテンウォール等の非耐力壁であっても構わない。また、下方に壁が存在せず開口となった部位の横架材であっても構わない。なお、両側の横架材の下方が共に全面開口である場合でも、建築物の下階の他の位置には必ず外壁、間仕切り壁等の壁が存在するため、その壁に、上階の床に発生する振動が伝わることを低減できる。
【００２６】
この床組３は、枠材７を構造体５である壁構造体の金属フレームや梁等にドリルねじやボルト等の固着具で固定して連結されるが、接合金物等を介して接合しても良い。接合金物を介した場合、枠材７の端部を壁構造体や梁の上に直接載せる必要はない。
【００２７】
４はパーティクルボード、構造用合板、木片セメント板、軽量コンクリ−ト板等で成る面材であって、床組３を構成する枠材７、支持梁１、床根太２の上面に弾性接着剤等の接着剤で貼着することにより固定される。なお、その固定は、釘、ねじ等の固着具による固定であっても良いし、接着剤と固着具併用による固定であっても構わない。また、床組３を構成する枠材７、支持梁１、床根太２の上面が略面一であることが望ましいとしたのは、このように、それらの上面に面材４が載せられて固定されるためである。
【００２８】
なお、枠材７、支持梁１、床根太２で成る床組３の上面は、フランジ厚分の僅かな段差が生じる可能性があるので、フランジに厚みがある場合、そのフランジと略同じ厚みのスペーサや緩衝材を介してその上面に面材４を固定しても良い。また、前記した枠材７と枠材７の接合、枠材７と支持梁１の接合、支持梁１と床根太２の接合において、嵌合する側の部材端部にフランジ厚分の上下の絞り加工を施しておけば、床組３の上面を確実に面一とすることができる。或いは、枠材７と枠材７の接合、枠材７と支持梁１の接合、支持梁１と床根太２の接合を、アングル等の接合金物を介して行えば、接合される部材相互は直接嵌合しないので床組３の上面を容易に面一とすることができる。
【００２９】
図１や図２に示す実施形態においては、構造体５に直接連結される横架材は、一対の支持梁１だけであるため、構造体５に伝わる振動の伝達経路が、数多くの本数の床根太２の本数分ではなく支持梁１の本数分、即ち二本分に減り、上階の床に発生する振動が下階に伝わることを有効に緩和することができる。
【００３０】
なお、以下に説明する種々の実施形態は、図１に示す実施形態同様に枠材７を矩形に組んだ外周枠８が設けられていない実施形態であるが、全ての実施形態で図２に示す実施形態同様に外周枠８が設けられていても良いことは勿論である。
【００３１】
図３は、本発明の異なる実施形態を示す。この実施形態と図１や図２に示す前記実施形態の違いは、両側の略平行な支持梁１，１で挟まれた空間に、もう一本中間の支持梁１がそれら両側の支持梁１と略平行に架け渡されている点である。床根太２は、片側の支持梁１と中間の支持梁１の間と、もう片側の支持梁１と中間の支持梁１の間に、夫々複数本が略平行になって架け渡されている。このように構成した場合、中間の支持梁１が両側の支持梁１と同様に溝形鋼で形成されていても良いが、溝形鋼を背中合わせに接合したものやＩ形鋼であれば、両側の床根太２が接合金物等を介さずに嵌合するだけで容易に接合できてなお良い。
【００３２】
なお、本実施形態では、片側の支持梁１と中間の支持梁１、もう片側の支持梁１と中間の支持梁１は、夫々対になっており、本実施形態は請求項１記載の発明に含まれる。
【００３３】
図４は、請求項２に記載された本発明の実施形態を示す。この実施形態では、床組３は、一対の略平行な構造体５，５間に略平行に架け渡された一対の第１の支持梁１ａと、その第１の支持梁１ａ，１ａ間に対になり略平行に架け渡された第２の支持梁１ｂと、その第２の支持梁１ｂ，１ｂ間に略平行に架け渡された複数本の床根太２より構成されている。このように、床組３を構成することで、構造体５に伝わる振動の伝達経路が長くなり、上階の床に発生する振動が下階の壁に伝わることを低減することができる。
【００３４】
図５は、本発明の更に異なる実施形態を示す。この実施形態は図４に示す実施形態の床組３の略平行な第１の支持梁１ａ，１ａで挟まれた空間に、もう一本略平行に中間の第１の支持梁１ａを配置している。第２の支持梁１ｂは、片側の第１の支持梁１ａと中間の第１の支持梁１ａとの間と、もう片側の第１の支持梁１ａと中間の第１の支持梁１ａとの間に、夫々一対が略平行になって架け渡されている。床根太２は、それら対になった第２の支持梁１ｂ，１ｂの間に、夫々複数本が略平行になって架け渡されている。即ち、この実施形態は、図４に示す実施形態に対しては、図１の実施形態に対する図３の実施形態の関係と同様の関係の実施形態である。
【００３５】
図６は、本発明の更に異なる実施形態を示す。この実施形態は図４に示す実施形態の床組３の略平行な第２の支持梁１ｂ，１ｂで挟まれた空間に、もう一本略平行に中間の第２の支持梁１ｂを配置している。これら三本の第２の支持梁１ｂは、構造体５，５間に略平行に架け渡された対になった第１の支持梁１ａ，１ａ間に架け渡されている。また、床根太２は、片側の第２の支持梁１ｂと中間の第２の支持梁１ｂの間と、もう片側の第２の支持梁１ｂと中間の第２の支持梁１ｂの間に、夫々複数本が略平行になって架け渡されている。
【００３６】
図７は、請求項３に記載された本発明の実施形態を示す。この実施形態では、床組３は、一対の略平行な構造体５，５間に略平行に架け渡された対になった第１の支持梁１ａと、その対になった支持梁１ａ，１ａ間に対になり略平行に架け渡された第２の支持梁１ｂと、その第２の支持梁１ｂ，１ｂ間に対になり略平行に架け渡された第３の支持梁１ｃと、その第３の支持梁１ｃ，１ｃ間に略平行に架け渡された複数本の床根太２より構成されている。このように、床組３を構成することで、構造体５に伝わる振動の伝達経路がよりいっそう長くなり、上階の床に発生する振動が下階の壁に伝わることを更に低減することができる。
【００３７】
図８は、本発明の更に異なる実施形態を示す。この実施形態は図７に示す実施形態の床組３の略平行な第１の支持梁１ａ，１ａで挟まれた空間に、もう一本略平行に中間の第１の支持梁１ａを配置している。第２の支持梁１ｂは、片側の第１の支持梁１ａと中間の第１の支持梁１ａとの間と、もう片側の第１の支持梁１ａと中間の第１の支持梁１ａとの間に、夫々一対が略平行になって架け渡されている。第３の支持梁１ｃは、それら対になった第２の支持梁１ｂ，１ｂの間に、夫々一対が略平行になって架け渡されている。床根太２は、それら対になった第３の支持梁１ｃ，１ｃの間に、夫々複数本が略平行になって架け渡されている。即ち、この実施形態は、図７に示す実施形態に対しては、図１の実施形態に対する図３の実施形態の関係と同様の関係の実施形態である。
【００３８】
図９は、請求項１に記載された本発明の異なる実施形態を示す。この実施形態では、略平行に架け渡された対になった支持梁１，１を二組とし、夫々の略平行な支持梁１，１間に、夫々複数本の床根太２が略平行になって架け渡されている。このような実施形態であると、真下に床根太２が存在しない位置の床面上に界壁や間仕切り壁を立設することで、界壁や間仕切り壁で仕切られた両側の空間を夫々異なる住戸や居室等とすることもできる。このように構成した場合、隣り合う住戸や居室間の、床を介した振動の伝達量を低減することができる。
【００３９】
また、図１０は、請求項１に記載された本発明の更に異なる実施形態であって、略平行な壁等で成る構造体５，５の間に、それら構造体５と略平行に小梁を架け渡している。小梁も建物の構造耐力を負担する構造体５であり、この実施形態では、中間部の構造体５である小梁の両側に形成された空間に夫々一対の支持梁１を架け渡すことにより、床組３を構成している。即ち、支持梁１は、片側の壁等の構造体５と小梁である構造体５の間と、もう片側の壁等の構造体５と小梁である構造体５の間に、夫々一対毎が略平行になって架け渡されている。床根太２は、それら対になった支持梁１，１の間に、夫々複数本が略平行になって架け渡されている。
【００４０】
以上全ての説明は、上階の床に本発明の床構造を適用した実施形態について説明したが、本発明の床構造は下階が存在しない１階の床にも適用することができる。この場合、構造体５は布基礎、床束等となる。１階の床に適用した場合、隣り合う住戸や居室間の、床を介した振動の伝達量を低減することができる。
【実施例】
【００４１】
次に、図５に示す本発明の実施例と、図１１に示す従来例について、ＪＩＳ１４１８−２に示す方法によって重量床衝撃音レベルの比較測定を行った。比較測定は、バングマシンにより軽自動車用タイヤ（質量７．０ｋｇ）を８３ｃｍの高さから自動的に落下させる方法によって行った。
【００４２】
比較測定した図５に示す本発明の実施例と図１１に示す従来例における、第１の支持梁１ａ、第２の支持梁１ｂ、床根太２は、夫々高さ２３８ｍｍ、幅４０ｍｍの溝形鋼と、高さ２３５ｍｍ、幅４０ｍｍのリップ溝形鋼を抱き合わせたボックス状のもので、その板厚は１．２ｍｍである。図５に示す本発明の実施例では、第１の支持梁１ａの長さは３０７５ｍｍ、第２の支持梁１ｂの長さは１７８０ｍｍ、床根太２の長さは２８８９ｍｍである。また、隣り合う床根太２，２の間隔は４５５ｍｍである。図１１に示す従来例では、床根太２の長さは３０７５ｍｍ、隣り合う床根太２，２の間隔は４５５ｍｍである。
【００４３】
図１２に、この実験による測定結果を示す。この実験結果によると、実施例は従来例に比べて６３Ｈｚバンドで２．５ｄＢ、５００Ｈｚバンドで７．０ｄＢ重量床衝撃音レベルが低減した。この結果から、従来例のように直接複数本の床根太２を構造体５，５間に架け渡す場合より、本発明のように支持梁１を介して床根太２を架け渡した場合の方が、床で発生した振動による下階の壁からの放射音の発生を確実に抑制できるということが確認できた。
【図面の簡単な説明】
【００４４】
【図１】本発明の一実施形態を示すもので、面材を施工する前の平面図である。
【図２】本発明の異なる実施形態を示す要部拡大斜視図である。
【図３】本発明の更に異なる実施形態を示すもので、面材を施工する前の平面図である。
【図４】本発明の更に異なる実施形態を示すもので、面材を施工する前の平面図である。
【図５】本発明の更に異なる実施形態を示すもので、面材を施工する前の平面図である。
【図６】本発明の更に異なる実施形態を示すもので、面材を施工する前の平面図である。
【図７】本発明の更に異なる実施形態を示すもので、面材を施工する前の平面図である。
【図８】本発明の更に異なる実施形態を示すもので、面材を施工する前の平面図である。
【図９】本発明の更に異なる実施形態を示すもので、面材を施工する前の平面図である。
【図１０】本発明の更に異なる実施形態を示すもので、面材を施工する前の平面図である。
【図１１】従来例を示すもので、面材を施工する前の平面図である。
【図１２】重量床衝撃音レベルの測定結果を示すグラフ図である。
【符号の説明】
【００４５】
１…支持梁
１ａ…第１の支持梁
１ｂ…第２の支持梁
１ｃ…第３の支持梁
２…床根太
５…構造体
【図１】
2008190218.tif 000003
【図２】
2008190218.tif 000004
【図３】
2008190218.tif 000005
【図４】
2008190218.tif 000006
【図５】
2008190218.tif 000007
【図６】
2008190218.tif 000008
【図７】
2008190218.tif 000009
【図８】
2008190218.tif 000010
【図９】
2008190218.tif 000011
【図１０】
2008190218.tif 000012
【図１１】
2008190218.tif 000013
【図１２】
2008190218.tif 000014